(57)【要約】【課題】  透光部材が破損した際に透光部材を容易に交換することが可能なヘッドアップディスプレイ装置を提供する。【解決手段】  表示光Ｌを発する液晶表示素子２２と、表示光Ｌを反射させる凹面鏡４１と、液晶表示素子２２並びに凹面鏡４１を収納する空間部５１と凹面鏡４１によって反射された表示光Ｌが通過する開口部５２とを有するハウジング５０とを備え、透光性カバー（透光部材）６０は、その周縁部６２がハウジング５０に形成された保持部５４によって保持されるように開口部５２に配設されてなり、凹面鏡４１によって反射された表示光Ｌを透光性カバー６０を通じてフロントガラス１３に投影して観察者１４に対し表示を行うヘッドアップディスプレイ装置において、前面壁５３の所要部と周縁部６２とを覆う覆い部材７０を備え、覆い部材７０がハウジング５０に対し着脱可能に設けられる。【選択図】図３
2010132207.tif 000002
【特許請求の範囲】
【請求項１】
表示光を発する表示素子と、前記表示光を反射させる反射部材と、前記表示素子並びに前記反射部材を収納する空間部と前記反射部材によって反射された前記表示光が通過する開口部とを有するハウジングとを備え、
前記ハウジングとは別体にて形成された透光部材が前記開口部を覆うように配設されてなり、
前記反射部材によって反射された前記表示光を前記透光部材を通じて投影部材に投影して観察者に対し表示を行うヘッドアップディスプレイ装置において、
前記透光部材が前記ハウジングに対し着脱可能に設けられてなることを特徴とするヘッドアップディスプレイ装置。
【請求項２】
表示光を発する表示素子と、前記表示光を反射させる反射部材と、前記表示素子並びに前記反射部材を収納する空間部と前記反射部材によって反射された前記表示光が通過する開口部とを有するハウジングとを備え、
前記ハウジングとは別体にて形成された透光部材は、その周縁部が前記ハウジングに形成された保持部によって保持されるように前記開口部に配設されてなり、
前記反射部材によって反射された前記表示光を前記透光部材を通じて投影部材に投影して観察者に対し表示を行うヘッドアップディスプレイ装置において、
少なくとも前記周縁部を覆う覆い部材を備え、
前記覆い部材が前記ハウジングに対し着脱可能に設けられてなることを特徴とするヘッドアップディスプレイ装置。
【請求項３】
前記覆い部材と前記透光部材とが一体形成されてなることを特徴とする請求項２記載のヘッドアップディスプレイ装置。
【請求項４】
前記透光部材は、前記開口部に対応する領域に形成される曲面部を備え、外光が前記曲面部表面にあたって反射した際の反射光が、前記観察者側に反射されないように前記曲面部の曲率が設定されてなることを特徴とする請求項１または請求項２記載のヘッドアップディスプレイ装置。
【発明の詳細な説明】
【技術分野】
【０００１】
本発明は、表示素子が発した表示光を車両のフロントガラス等の投影部材に投影し、観察者に虚像表示を行うヘッドアップディスプレイ装置に関するものである。
【背景技術】
【０００２】
従来より、この種のヘッドアップディスプレイ装置にあっては、例えば下記特許文献１に記載のごとく、車両のフロントガラス（投影部材）に表示ユニット（表示装置）からの表示光を投射して虚像表示を行うものが知られている。
【０００３】
前記表示ユニットは、車両のインストルメントパネル（以下、インパネと言う）に取り付けられており、表示光を発する表示素子（液晶表示素子）と、表示素子が発した表示光を反射させる凹面鏡（反射部材）と、表示素子と凹面鏡とを収納する空間部と凹面鏡によって反射された表示光が通過する開口部とを有するハウジングとを備え、さらにこのハウジングとは別体にて形成された透明アクリル樹脂からなる透光性カバー（透光部材）がハウジングの前面壁に形成された前記開口部に装着（配設）されてなり、凹面鏡によって反射された表示光を透光性カバーを通じて投影部材に投射（投影）して観察者に対し虚像表示を行うものである。
【０００４】
また、この場合、透光性カバーは、その周縁部における背面箇所がハウジング（前記前面壁）に一体形成された鍔形状からなる保持部によって保持されるように前記開口部に装着されてなり、さらに透光性カバーの周縁部とこの周縁部背面側を保持するようにハウジング（前記前面壁）に一体形成された鍔形状からなる保持部とは、両面粘着テープを介して強固に固定（接着）される構成となっていた。
【特許文献１】特開２００８−１８５７５３号公報
【発明の開示】
【発明が解決しようとする課題】
【０００５】
上述のヘッドアップディスプレイ装置ように、ハウジング（前記保持部）と透光性カバー（前記周縁部）とが、両面粘着テープにより強固に接着された構成では、透光性カバーをハウジングに固定した後の表示ユニットがインパネに取り付けられることになる。
【０００６】
ところで、表示ユニットのインパネへの取り付け後に何らかの原因で透光性カバーが破損してしまった場合（例えば透光性カバー表面に硬質な物体が直接ぶつかることで透光性カバーが破損してしまった場合）には、上述のように透光性カバーがハウジングに強固に接着されていることに起因して、透光性カバーだけではなく、透光性カバーと表示素子と凹面鏡とハウジングとを有する表示ユニット全体をインパネから取り外し、新しい表示ユニットを再び、インパネに取り付ける必要がある。
【０００７】
つまり、本来、表示ユニットの一構成部品である透光性カバー（透光部材）のみが破損したのであれば、この破損した透光性カバーだけを破損していない新しい透光性カバーに交換すればよいのに、透光性カバーがハウジングに強固に接着されていることで、わざわざ透光性カバーだけではなく破損していない他の部品（表示素子や凹面鏡、ハウジング）をも一緒（同時）に交換しなければならないという矛盾が生じ、この点で更なる改良の余地が残されていた。
そこで本発明は、前述の課題に対して対処するため、透光部材が破損した際に透光部材を容易に交換することが可能なヘッドアップディスプレイ装置の提供を目的とするものである。
【課題を解決するための手段】
【０００８】
本発明は、表示光を発する表示素子と、前記表示光を反射させる反射部材と、前記表示素子並びに前記反射部材を収納する空間部と前記反射部材によって反射された前記表示光が通過する開口部とを有するハウジングとを備え、前記ハウジングとは別体にて形成された透光部材が前記開口部を覆うように配設されてなり、前記反射部材によって反射された前記表示光を前記透光部材を通じて投影部材に投影して観察者に対し表示を行うヘッドアップディスプレイ装置において、前記透光部材が前記ハウジングに対し着脱可能に設けられてなることを特徴とする。
【０００９】
また本発明は、表示光を発する表示素子と、前記表示光を反射させる反射部材と、前記表示素子並びに前記反射部材を収納する空間部と前記反射部材によって反射された前記表示光が通過する開口部とを有するハウジングとを備え、前記ハウジングとは別体にて形成された透光部材は、その周縁部が前記ハウジングに形成された保持部によって保持されるように前記開口部に配設されてなり、前記反射部材によって反射された前記表示光を前記透光部材を通じて投影部材に投影して観察者に対し表示を行うヘッドアップディスプレイ装置において、少なくとも前記周縁部を覆う覆い部材を備え、前記覆い部材が前記ハウジングに対し着脱可能に設けられてなることを特徴とする。
【００１０】
また本発明は、前記覆い部材と前記透光部材とが一体形成されてなることを特徴とする。
【００１１】
また本発明は、前記透光部材は、前記開口部に対応する領域に曲面部を備え、外光が前記曲面部表面にあたって反射した際の反射光が、前記観察者側に反射されないように前記曲面部の曲率が設定されてなることを特徴とする。
【００１２】
本発明によれば、初期の目的を達成でき、透光部材が破損した際に透光部材を容易に交換することが可能なヘッドアップディスプレイ装置を提供できる。
【発明を実施するための最良の形態】
【００１３】
（第１実施形態）以下、添付図面に基づいて、本発明を車両用のヘッドアップディスプレイ装置に適用した一実施形態を説明する。なお、図１〜図６は、本発明の第１実施形態を示すものであり、図１は本発明の第１実施形態によるヘッドアップディスプレイ装置の概略図、図２は同実施形態による表示装置の断面図、図３は図２中、Ａ部を拡大して示す拡大断面図、図４は図２中、矢印Ｂ方向から見たときのハウジングの一部と透光部材と覆い部材とを示す図、図５は同実施形態による透光部材と覆い部材とをハウジングに組み付けるための組み付け例を示す図である。
【００１４】
ヘッドアップディスプレイ装置は、図１に示すように車両１０のインパネ１１に配設された表示ユニットである表示装置１２が投射する表示光Ｌを投影部材である車両１０のフロントガラス１３で車両１０の運転者（観察者）１４の方向に反射させ、虚像Ｖの表示を行うものである。換言すれば、ヘッドアップディスプレイ装置は、表示装置１２の後述する液晶表示器から発せられる表示光Ｌをフロントガラス１３（前記投影部材）に照射（投射）し、この照射によって得られた表示像（虚像）Ｖを運転者１４に視認させるものである。これにより運転者１４は、虚像Ｖを風景と重畳させて観察することができる。
【００１５】
なお、本実施形態の場合、表示装置１２に備えられる後述するハウジングは、その上方側となる図２中、一点鎖線で囲んだ領域Ａがインパネ１１からはみ出た状態となって、インパネ１１に所定の固定手段を用いて取り付けられているものとする。
【００１６】
表示装置１２は、図２に示すように液晶表示器２０と、第１反射器３０と、第２反射器４０と、ハウジング５０と、覆い部材７０とから主に構成されている。
【００１７】
液晶表示器２０は、配線基板Ｒに実装された発光ダイオードからなる光源２１と、この光源２１からの照明光を透過して表示光Ｌを形成するように光源２１の前方側（真上）に位置するＴＦＴ型の液晶表示素子（表示素子）２２とから主に構成される。このことは、液晶表示素子２２の背後（直下）に光源２１が配設され、液晶表示素子２２は、光源２１から発せられる光により、所定情報（後述する表示すべき情報）を表示することを意味している。かかる液晶表示器２０は、表示光Ｌの出射側の面が第１反射器３０の後述するコールドミラーに対向するようにしてハウジング５０内に設けられ、表示光Ｌの光軸が前記コールドミラーに交わるような位置や向きにて固定保持される。
【００１８】
また液晶表示素子２２は、図示しない素子駆動回路によって表示すべき情報（例えば車両の速度やエンジン回転数）を、数値等で発光表示する。液晶表示器２０は、可視波長域の光からなる表示光Ｌを出力するもので、例えば赤色光（主に発光波長域６１０〜６４０ｎｍ）を発する光源２１を適用することができる。なお、前記表示すべき情報は、車両の速度やエンジン回転数に限らず、あらゆる表示形態を採用できることは言うまでもない。
【００１９】
第１反射器３０は、コールドミラー３１と、このコールドミラー３１を所定の取付手段を用いて取付固定するための取付部材３２とを有している。コールドミラー３１は、略矩形状のガラス基板３１ａと、このガラス基板３１ａの片面（第２反射器４０の後述する凹面鏡と向かい合う面）に形成された第１の反射層３１ｂとからなるものである。かかる第１の反射層３１ｂは、膜厚が異なる多層の干渉膜からなるものであり、蒸着等の方法で形成されている。また、コールドミラー３１は、液晶表示器２０（液晶表示素子２２）が発した表示光Ｌを、第２反射器４０（前記凹面鏡）側へ反射させるような位置に傾斜状態にて配設される。
【００２０】
なお、コールドミラー３１は、液晶表示器２０の発光波長域を含む可視波長域（４５０〜７５０ｎｍ）の光を高い反射率（例えば８０％以上）で反射し、前記可視波長域以外の光を低い反射率で反射するものである。この場合、コールドミラー３１は、前記可視波長域以外の特に赤外波長域の光（赤外線あるいは太陽光の熱線）を低い反射率（例えば１５％以下）にて反射するものが適用される。なお、第１の反射層３１ｂにて反射されない光は、コールドミラー３１を透過するように構成される。また、取付部材３２は、例えば黒色の合成樹脂材料からなり、ハウジング５０に固定されてなる。
【００２１】
第２反射器４０は、コールドミラー３１（つまり表示素子２２）からの表示光Ｌを反射させる凹面鏡（反射部材）４１と、この凹面鏡４１を保持するミラーホルダ４２とを備えてなる。
【００２２】
凹面鏡４１は、凹面を有するポリカーボネートからなる樹脂基板に第２の反射層４１ａを蒸着形成してなるものである。かかる凹面鏡４１は、その第２の反射層４１ａがコールドミラー３１並びにハウジング５０の後述する透光性カバーに対向し、前記透光性カバーから臨める位置に傾斜状態にて配設される。
【００２３】
また凹面鏡４１は、コールドミラー３１からの表示光Ｌを拡大しつつ、前記透光性カバー（車両１０のフロントガラス１３）側へ反射（投射）させるものである。このことは、凹面鏡４１が、コールドミラー３１によって反射された表示光Ｌを拡大し、この拡大された表示光Ｌを前記透光性カバーを通じてフロントガラス１３に投射することを意味している。なお、凹面鏡４１は、ミラーホルダ４２に両面粘着テープにより接着されている。ミラーホルダ４２は、合成樹脂（例えばＡＢＳ樹脂）からなるものであり、ハウジング５０に固定されてなる。
【００２４】
ハウジング５０は、例えば黒色の遮光性合成樹脂材料からなり、略箱型形状に形成され、その内部空間である空間部５１に液晶表示器２０（液晶表示素子２２）や第１反射器３０、並びに第２反射器４０（凹面鏡４１）を保持して収納するものであり、第２反射器４０における凹面鏡４１の配設位置の上部（フロントガラス１３側）が開口する開口部５２を備えてなる。そして、凹面鏡４１によって反射された表示光Ｌは、開口部５２を通過することになる。
【００２５】
またハウジング５０には、ハウジング５０とは別部材（別体）にて形成された透光性カバー（透光部材）６０が開口部５２を塞ぐように配設されてなる。かかる透光性カバー６０は、透光性の合成樹脂材料（例えばアクリル樹脂）からなり、凹面鏡４１で反射された表示光Ｌが透過（通過）する光透過性部材としての機能を有している。つまり、コールドミラー３１並びに凹面鏡４１によって反射された表示光Ｌは、ハウジング５０における開口部５２に配設された透光性カバー６０を通じてフロントガラス１３に投影され、これにより虚像Ｖの表示が運転者１４に対し行われることになる。
【００２６】
ところで、図２のＡ部を拡大して示す図３中、５３はハウジング５０の開口部５２を取り囲むように形成された前面壁であり、かかる前面壁５３は、その下端側において、透光性カバー６０の後述する周縁部を保持するように、開口部５２（つまり前面壁５３の内壁面）から内方に向けて突出形成された鍔形状からなる保持部５４を備えてなる。このように前面壁５３の下端側に前記周縁部を保持するような保持部５４を一体形成したことで、前面壁５３の下端側には、開口部５２の開口幅よりも幅狭となる幅狭開口部５５が設けられることになる。
【００２７】
また、図３と図２の矢印Ｂ方向から見たときの図である図４において、５６は、後述する係止部に対応するハウジング５０の外壁面箇所に形成された係合部であり、かかる係合部５６は、ハウジング５０の前記外壁面から外方に向けて突出形成された略コの字状の係合枠５６ａと、この係合枠５６ａを設けることによって形成される前記係合片の挿入空間としての空間部５６ｂとからなる。
【００２８】
５７は、係合部５６の下方に位置するようにハウジング５０に一体形成され、前記係止部が空間部５６ｂに挿入された後、前記係止部の下端部分を支持する機能を有する支持部である。ここで、本例では、係合部５６とこれに対応する支持部５７とは、フロントガラス１３側となるハウジング５０の一側面部（前記外壁面）に沿うように２箇所形成されている。なお、図４中、Ｃ−Ｃ線にて形成される断面形状が、図３に示す断面図に相当する。
【００２９】
一方、コールドミラー３１の配設位置の上部であって、フロントガラス１３からやや離れた位置となるハウジング５０の前面壁５３には、コールドミラー３１側に向けて突出する略円筒状からなるボス部５８が設けられてなる（図２、図３参照）。かかるボス部５８は、その略中央部にネジＳを螺合させるためのネジ螺合部５８ａを備えてなる。
【００３０】
前述した透光性カバー６０は、図３に示すようにハウジング５０における開口部５２に対応する領域に形成される湾曲状の曲面部６１と、この曲面部６１の周囲に形成される平板状の周縁部６２とを備えてなる。そして、開口部５２に透光性カバー６０が埋設されるように透光性カバー６０をハウジング５０に装着すると、周縁部６２が保持部５４と当接して保持部５４にて保持されることで、ハウジング５０は透光性カバー６０を保持することができる。
【００３１】
なお、本実施形態では、例えば太陽光等の外部からの光（つまり、外光）が、透光性カバー６０（曲面部６１）表面にあたって反射した際の反射光が、フロントガラス１３を介して運転者１４側に反射されないように曲面部６１の曲率が設定されてなるものとする。このことは、曲面部６１は、前記外光を受けた際に反射する前記反射光がフロントガラス１３を通じて運転者１４側に反射されないような曲面形状にて形成されることを意味してなる。
【００３２】
そして、透光性カバー６０を配設した状態のハウジング５０には、透光性カバー６０の周縁部６２とハウジング５０における前面壁５３の所要部とを覆うべく、合成樹脂材料等からなる覆い部材７０が配設される。
【００３３】
覆い部材７０は、ハウジング５０の開口部５２に対応する開口窓部７１と、この開口窓部７１の四方を取り囲む略平板状の枠部７２とを備えてなる。そして、枠部７２のうち、図４中、開口窓部７１の左方に位置する第１の枠部である左側枠部７３の周縁には、前述した一対の係合部５６に対応する位置に一対の係止部７４が垂下するように形成されてなる。
【００３４】
係止部７４は、係合部５６側に向けて垂下形成される垂下部７４ａと、この垂下部７４の下端部分から前面壁５３の板面と略平行状態をなすように外方に向けて突出形成される鍔部からなる係止片７４ｂとを備えてなる。
【００３５】
また、枠部７２のうち、図４中、開口窓部７１の右方に位置する第２の枠部である右側枠部７５には、ネジ螺合部５８ａに対応する位置に略円形の貫通孔７５ａが形成されてなる。なお、本例では貫通孔７５ａは、図４に示すように右側枠部７５に沿うように３箇所設けられている。これに伴い、ネジ螺合部５８ａも、右側枠部７５に沿うように３箇所設けられることになる。
【００３６】
次に、ハウジング５０、透光性カバー６０並びに覆い部材７０に着目し、これら三者を組み付けるための組み付け例を図５を用いて説明する。この場合、まず、透光性カバー６０をハウジング５０に組み付け、その後、透光性カバー６０の組み付けられたハウジング５０に覆い部材７０をさらに組み付ける構成となっている。
【００３７】
まず、透光性カバー６０をハウジング５０に組み付けるにあたっては、詳細図示は省略するが、透光性カバー６０の曲面部６１をハウジング５０側に向けて湾曲させた状態でハウジング５０の上方側に透光性カバー６０を位置させる。この際、ハウジング５０の保持部５４と透光性カバー６０の周縁部６２とが対向するように、ハウジング５０と透光性カバー６０とを位置合わせする。
【００３８】
そして、この状態から透光性カバー６０をハウジング５０側に平行移動させると、やがて周縁部６２と保持部５４とが当接して周縁部６２が保持部５４によって保持されることで、透光性カバー６０がハウジング５０に載置（配設）される状態となる（図５（ａ）参照）。
【００３９】
次に、覆い部材７０と透光性カバー６０の載置されたハウジング５０とを組み付けるべく、詳細図示は省略するが、覆い部材７０の係止部７４をハウジング５０側に向けた状態で、係止部７４と係合部５６における空間部５６ｂとが対向するように、覆い部材７０と透光性カバー６０の載置されたハウジング５０とを位置合わせする。
【００４０】
そして、この状態から覆い部材７０をハウジング５０側に平行移動させると、係止部７４が係止枠５６ａを設けたことによって形成される空間部５６ｂを挿通し、やがて係止部７４の下端部分に位置する係止片７４ｂが支持部５７と面接触（当接）すると同時に、枠部７２の底面が前面壁５３、周縁部６２と面接触（当接）する状態となる（図５（ｂ）参照）。
【００４１】
次に、この図５（ｂ）に示す状態から、覆い部材７０を左方（矢印Ｘ方向）に沿い移動させると、２つの係止片７４ｂが係止枠５６ａの底壁部と支持部５７表面との間に各々挟まれ、且つ、右側枠部７５における３つの貫通孔７５ａがボス部５８におけるネジ螺合部５８ａと各々連通する状態となる（図５（ｃ）参照）。そして、最後に、ネジＳを貫通孔７５ａを介してネジ螺合部５８ａに各々螺合させることで、図３に示すように覆い部材７０が透光性カバー６０の載置されたハウジング５０上に固定されることになる。
【００４２】
なお、上述した透光性カバー６０のハウジング５０（開口部５２）への載置、並びに覆い部材７０のハウジング５０への組み付け固定は、図２中、一点鎖線で示した領域Ａが、インパネ１１より上側にはみ出ていることで、ハウジング５０がインパネ１１に取り付けられた状態のまま行うことが可能となる。
【００４３】
ところで、ハウジング５０がインパネ１１に取り付けられた状態のまま、上述したように覆い部材７０を透光性カバー６０の載置されたハウジング５０上に固定した後、例えば透光性カバー６０（曲面部６１）表面に硬質な物体が直接ぶつかることで透光性カバー６０が破損してしまった場合、以下のようにしてハウジング５０がインパネ１１に取り付けられた状態のまま、透光性カバー６０のみを取り外すことができる。
【００４４】
つまり、透光性カバー６０が破損した場合には、上述のように図５（ａ）、図５（ｂ）、図５（ｃ）の順序で行った組み付け作業とは全く逆の作業を行えばよい。具体的には、まず、ネジＳのネジ螺合部５８ａへの螺合状態を解除すべく、３つのネジＳを全て取り外した後、係止片７４ｂ全体が空間部５６ｂに位置するまで覆い部材７０を右方（図５（ｂ）中、矢印Ｘ方向とは逆方向）に移動させる。
【００４５】
そして、この状態から係止片７４ｂと支持部５７との当接状態、さらには前面壁５３及び周縁部６２と枠部７２との当接状態を解除すべく、覆い部材７０を上方側に平行移動させ、係止片７４ｂが空間部５６ｂを通過すれば、覆い部材７０をハウジング５０から容易に取り外すことができる。
【００４６】
すると、覆い部材７０がハウジング５０から取り外されることで、図５（ａ）に示すごとくハウジング５０上には破損した透光性カバー６０のみが載置された状態となる。そして、この状態から例えば作業者が図示しない吸盤の吸着面を曲面部６１表面に密着させた後、前記吸盤を持ち上げると、前記吸着面に透光性カバー６０が吸着することで、破損した透光性カバー６０をハウジング５０から容易に取り外すことができる。
【００４７】
そして、再度、上述した図５（ａ）〜図５（ｃ）の順序に従って、ハウジング５０がインパネ１１に取り付けられた状態のまま、破損していない新しい透光性カバー６０及び覆い部材７０をハウジング５０に容易に取り付けることが可能となる。
【００４８】
以上のように本実施形態では、表示光Ｌを発する液晶表示素子２２と、表示光Ｌを反射させる凹面鏡４１と、液晶表示素子２２並びに凹面鏡４１を収納する空間部５１と凹面鏡４１によって反射された表示光Ｌが通過する開口部５２とを有するハウジング５０とを備え、ハウジング５０とは別体にて形成された透光性カバー６０は、その周縁部６２がハウジング５０に形成された保持部５４によって保持されるように開口部５２に配設されてなり、凹面鏡４１によって反射された表示光Ｌを透光性カバー６０（曲面部６１）を通じてフロントガラス１３に投影して運転者１４に対し表示を行うヘッドアップディスプレイ装置において、前面壁５３の所要部と周縁部６２とを覆う覆い部材７０を備え、覆い部材７０がハウジング５０に対し着脱可能に設けられてなる、つまり覆い部材７０のハウジング５０への取り付け及び取り外しを実現可能な構成とした。
【００４９】
従って、透光性カバー６０が破損した場合に、従来のように表示ユニットである表示装置１２全体をインパネ１１からわざわざ取り外すことなく、表示装置１２（ハウジング５０）がインパネ１１に取り付けられた状態のまま、透光性カバー６０の交換作業を容易に行うことが可能となる。つまり、透光性カバー６０が破損した際に、破損した透光性カバー６０だけではなく破損していない他の部品（液晶表示素子２２や凹面鏡４１、ハウジング５０等）をも同時に交換していたという従来、生じていた矛盾は解消されることになる。
【００５０】
また本実施形態では、透光性カバー６０と覆い部材７０とが別部材により形成されていた例について説明したが、本実施形態の変形例として透光性カバー６０と覆い部材７０とを別部材ではなく一体形成した場合であっても、前述した本実施形態と同様の作用効果を得ることができる。なお、この場合、詳細図示は省略するが、図３中、ボス部５８側に位置する開口部５２内壁面とこれに隣接する周縁部６２外壁面との間、並びに保持部５４とこれに隣接する曲面部６１外壁面との間に、覆い部材７０の前記矢印Ｘ方向、並びに覆い部材７０の前記矢印Ｘ方向とは逆方向への移動を可能とする隙間部を設ける必要がある。
【００５１】
（第２実施形態）次に、本発明の第２の実施形態を図６に基づいて説明するが、前述の第１実施形態と同一もしくは相当個所には同一の符号を用いてその詳細な説明は省略する。この第２実施形態においては、前記第１実施形態にて採用した覆い部材７０、保持部５４等を廃止するとともに、前面壁５３の所要部と開口部５２とを覆うようにハウジング５０上に透光性カバー（透光部材）８０が載置（配設）された構成となっている。
【００５２】
本第２実施形態における透光性カバー８０は、前記第１実施形態にて採用した透光性カバー６０に対し周縁部６２の形状を変形させた構成となっており、前記第１実施形態にて採用した曲面部６１と略同一形状からなり、開口部５２に対応するように設けられる曲面部８１と、この曲面部８１を取り囲む略平板状の枠部８２とを備えてなる。なお、この場合、外光が枠部８２表面で反射されるのを抑制すべく、枠部８２表面に黒色印刷層等を施しておくことが望ましい。
【００５３】
そして、枠部８２のうち、図６中、曲面部８１の左方に位置する第３の枠部である左側枠部８３の周縁には、一対の係合部５６に対応する位置に一対の係止部８４が垂下するように形成されてなる。係止部８４は、係合部５６側に向けて垂下形成される垂下部８４ａと、この垂下部８４の下端部分から前面壁５３の板面と略平行状態をなすように外方に向けて突出形成される鍔部からなる係止片８４ｂとを備えてなる。
【００５４】
また、枠部８２のうち、図６中、曲面部８１の右方に位置する第４の枠部である右側枠部８５には、ネジ螺合部５８ａに対応する位置に略円形の貫通孔８５ａが形成されてなる。なお、かかる貫通孔８５ａは、前記第１実施形態と同様に右側枠部８５に沿うように３箇所設けられているものとする。これに伴い、ネジ螺合部５８ａも、右側枠部８５に沿うように３箇所設けられることになる。
【００５５】
なお、図６中、Ｔは、開口部５２内壁面とこれに隣接する曲面部８１外壁面との間に形成される間隙部であり、かかる間隙部Ｔは、曲面部８１が破損し、透光性カバー８０をハウジング５０から取り外す際に、透光性カバー８０を前記矢印Ｘ方向とは逆方向へ移動させるために設けられたクリアランスからなる。
【００５６】
すなわち、かかる第２実施形態では、前記第１実施形態にて採用した曲面部６１、枠部７２（左側枠部７３及び右側枠部７５）、係止部７４（垂下部７４ａ及び係止片７４ｂ）、貫通孔７５ａに代えて、曲面部８１、枠部８２（左側枠部８３及び右側枠部８５）、係止部８４（垂下部８４ａ及び係止片８４ｂ）、貫通孔８５ａをそれぞれ採用した構成となっている。なお、本第２実施形態にて採用した曲面部８１、枠部８２、係止部８４、貫通孔８５ａにおける個々の形状、機能等は、前記第１実施形態にて採用した曲面部６１、枠部７２、係止部７４、貫通孔７５ａと略同一となっている。
【００５７】
従って、透光性カバー８０における曲面部８１が破損した場合には、図６にて図示した状態から、ネジＳのネジ螺合部５８ａへの螺合状態を解除した後、係止片８４ｂ全体が空間部５６ｂに位置するまで透光性カバー８０を前記矢印Ｘ方向とは逆方向に移動させ、最後に、透光性カバー８０を上方側へ平行移動させて、係止片８４ｂが空間部５６ｂを通過すれば、透光性カバー８０をハウジング５０から容易に取り外すことができる。そして、詳細説明は省略するが、この透光性カバー取り外し作業とは全く逆の作業を行えば、新しい透光性カバー８０をハウジング５０に容易に取り付けることが可能となる。
【００５８】
つまり、この第２実施形態によれば、透光性カバー８０がハウジング５０に対し着脱可能に設けられてなる、換言すれば、透光性カバー８０のハウジング５０への取り付け及び取り外しを実現可能な構成としたことで、曲面部８１が破損した場合に、従来のように前記表示ユニット全体をインパネ１１からわざわざ取り外すことなく、前記表示ユニット（ハウジング５０）がインパネ１１に取り付けられた状態のまま、透光性カバー８０の交換作業を容易に行うことが可能となり、前記第１実施形態と同様の作用効果を得ることができる。
【００５９】
なお前記各実施形態では、液晶表示素子２２から発せられる表示光Ｌが、フロントガラス１３に投射される例について説明したが、例えばフロントガラス１３に表示光Ｌを良好に運転者１４方向に反射させるコンバイナフィルムを設けてもよいし、あるいはフロントガラス１３とは別の専用の反射部材に表示光Ｌを投射する構成としてもよい。
【図面の簡単な説明】
【００６０】
【図１】本発明の第１実施形態によるヘッドアップディスプレイ装置の概略図である。
【図２】同実施形態による表示装置の断面図である。
【図３】図２中、Ａ部を拡大して示す拡大断面図である。
【図４】図２中、矢印Ｂ方向から見たときのハウジングの一部と透光部材と覆い部材とを示す図である。
【図５】（ａ）は同実施形態による透光部材をハウジングに配設した状態を示す図であり、（ｂ）は同実施形態による透光部材の配設されたハウジングに覆い部材を載置した状態を示す図であり、（ｃ）は同実施形態による覆い部材を矢印Ｘ方向へ移動後の状態を示す図である。
【図６】本発明の第２実施形態による表示装置の要部断面図である。
【符号の説明】
【００６１】
１３    フロントガラス（投影部材）
１４    運転者（観察者）
２２    液晶表示素子（表示素子）
４１    凹面鏡（反射部材）
５０    ハウジング
５２    開口部
５３    前面壁
５４    保持部
５６    係合部
５６ａ  係合枠
５６ｂ  空間部
５７    支持部
５８ａ  ネジ螺合部
６０    透光性カバー（透光部材）
６１    曲面部
６２    周縁部
７０    覆い部材
７４    係止部
７４ａ  垂下部
７４ｂ  係止片
７５ａ  貫通孔
Ｌ    表示光
Ｓ    ネジ
【図１】
2010132207.tif 000003
【図２】
2010132207.tif 000004
【図３】
2010132207.tif 000005
【図４】
2010132207.tif 000006
【図５】
2010132207.tif 000007
【図６】
2010132207.tif 000008